(57)【要約】  無限軌道の無限軌道部材を無限軌道のクローラベルトに装着するための、圧入要素と接続要素とを備える装置であって、圧入要素は、連続開口部を有する本体部を備え、圧入要素がクローラベルト上に配置される際、無限軌道部材をクローラベルトに接続するための接続要素が連続開口部を介して係合する。装置は、圧入要素が、本体部から突出する複数の保持要素を備え、保持要素は、クローラベルト上に配置される際、クローラベルトの複数の材料層を貫通し、保持要素が材料層の材料を具体的には貫通方向の横方向に移動させるように構成されること、を特徴とする。【選択図】図４
2021524422.tif 000002
【特許請求の範囲】
【請求項１】
無限軌道（１９）の無限軌道部材（１５）を前記無限軌道（１９）のクローラベルト（１４）に装着するための、圧入要素（２）と接続要素（１６）とを備える装置（１、１３）であって、前記圧入要素（２）は、連続開口部（１０）を有する本体部（４）を備え、前記圧入要素（２）が前記クローラベルト（１４）上に配置される際、前記無限軌道部材（１５）を前記クローラベルト（１４）に接続するための前記接続要素（１６）が前記連続開口部（１０）を介して係合する装置であり、
前記圧入要素（２）は、前記本体部（４）から突出する複数の保持要素（５）を備え、前記保持要素（５）は、前記クローラベルト（１４）上に配置される際、前記クローラベルト（１４）の複数の材料層（１７、１８）を貫通し、前記保持要素（５）が前記材料層（１７、１８）の材料を具体的には貫通方向の横方向に移動させるように構成されることを特徴とする装置。
【請求項２】
無限軌道（１９）の無限軌道部材（１５）を前記無限軌道（１９）のクローラベルト（１４）に装着するための、先行する請求項のいずれか１項に記載の装置（１、１３）であって、
前記保持要素（５）は、前記本体部（４）から逓減するおよび／または先細になるように構成されていることを特徴とする装置。
【請求項３】
無限軌道（１９）の無限軌道部材（１５）を前記無限軌道（１９）のクローラベルト（１４）に装着するための、先行する請求項のいずれか１項に記載の装置（１、１３）であって、
前記保持要素（５）は、前記本体部（４）上に互いに離間して配置されていることを特徴とする装置。
【請求項４】
無限軌道（１９）の無限軌道部材（１５）を前記無限軌道（１９）のクローラベルト（１４）に装着するための、先行する請求項のいずれか１項に記載の装置（１、１３）であって、
保持要素（５）がピン状、針状、および／または円錐状に構成されていることを特徴とする装置。
【請求項５】
無限軌道（１９）の無限軌道部材（１５）を前記無限軌道（１９）のクローラベルト（１４）に装着するための、先行する請求項のいずれか１項に記載の装置（１、１３）であって、
保持要素（５）の一端が先細であり、丸みを帯びている、および／または尖っていることを特徴とする装置。
【請求項６】
無限軌道（１９）の無限軌道部材（１５）を前記無限軌道（１９）のクローラベルト（１４）に装着するための、先行する請求項のいずれか１項に記載の装置（１、１３）であって、
前記接続要素（１６）は、前記圧入要素（２）を前記無限軌道（１９）の前記クローラベルト（１４）および前記無限軌道部材（１５）に接続するように構成されていることを特徴とする装置。
【請求項７】
無限軌道（１９）の無限軌道部材（１５）を前記無限軌道（１９）のクローラベルト（１４）に装着するための、先行する請求項のいずれか１項に記載の装置（１、１３）であって、
前記装置（１、１３）は相手要素（３）を有し、前記装置が配置された状態において、前記相手要素（３）と前記圧入要素（２）の前記本体部（４）とは前記クローラベルト（１４）によって離間されていることを特徴とする装置。
【請求項８】
無限軌道（１９）の無限軌道部材（１５）を前記無限軌道（１９）のクローラベルト（１４）に装着するための、先行する請求項のいずれか１項に記載の装置（１、１３）であって、
前記本体部（４）は、前記クローラベルト（１４）上に配置された状態において、前記無限軌道部材（１５）に対して前記本体部（４）を位置決め可能にするための、位置決め部材（７）を備えることを特徴とする装置。
【請求項９】
先行する請求項のいずれか１項に記載の装置（１、１３）を備えるクローラベルト（１４）。
【請求項１０】
先行する請求項１〜８のいずれか１項に記載の装置（１、１３）を備える前記クローラベルト（１４）であって、
前記圧入要素（２）の前記保持要素（５）の長さは、前記配置された状態において、前記クローラベルト（１４）の厚さ方向視において、前記保持要素（５）が前記クローラベルト（１４）を貫通しないよう、前記クローラベルト（１４）の厚さに対して調整されているクローラベルト。
【請求項１１】
請求項９および１０のいずれか１項に記載のクローラベルト（１４）および／または先行する請求項１〜８のいずれか１項に記載の装置（１、１３）を備える無限軌道（１９）。
【請求項１２】
請求項１１に記載の無限軌道（１９）、請求項９および１０のいずれか１項に記載のクローラベルト（１４）、および／または請求項１から８のいずれか１項に記載の装置（１、１３）を備えるクローラ車両、具体的には装軌車両。
【発明の詳細な説明】
【発明の詳細な説明】
【０００１】
本発明は、請求項１の特徴による、無限軌道の無限軌道部材を無限軌道のクローラベルトに装着するための装置と、この種の装置を備えるクローラベルトおよび／または無限軌道とに関する。
【０００２】
従来技術
例えば無限軌道のクローラウェブなどの無限軌道部材を無限軌道のクローラベルトに装着するための装置は、当技術分野において周知である。
【０００３】
当技術分野において周知の装置は、支柱と複数のねじとを備え、支柱とクローラウェブとの間にクローラベルトが配置され、クローラベルトには複数の穴が存在し、その穴を介してねじが係合するため、ねじが支柱をクローラウェブに接続し、それによって無限軌道が支柱とクローラウェブとの間に固定される。この場合、支柱とクローラウェブとは、互いに平行に長手方向に沿って延在する。当技術分野における別の装置は、例えば前述の穴に更にスペーサスリーブを設けている。
【０００４】
これらの装置の不都合な点は、車両操作時のクローラベルトの動きによって穴が細長い穴に変形し、そのため、特に無限軌道が圧雪車に用いられた場合、水や雪がクローラベルトの穴を通ってクローラベルトの複数の層の間に入り、氷粒を形成する結果として、クローラベルトの層が剥がれることによりクローラベルトが損なわれることである。
発明の課題および利点
本発明が対処する課題は、無限軌道の無限軌道部材を無限軌道のクローラベルトに装着するための別の装置を提供することであり、特にクローラベルトの比較的長い耐用年数または稼働時間が実現されるように、装置を改良することである。
【０００５】
この課題は、請求項１の特徴により解決される。
本発明の有利かつ機能的な実施形態は、従属項において規定されている。 
本発明は、圧入要素および接続要素を用いて、無限軌道の無限軌道部材を無限軌道のクローラベルトに装着するための装置に基づいており、圧入要素は、例えば、連続開口部を有する板状の本体部を備え、圧入要素がクローラベルト上に配置される際、無限軌道部材をクローラベルトに接続するための接続要素が連続開口部を介して係合する。連続開口部は、例えば円筒形状などのシリンダ状である。例えば、連続開口部は、本体部に穴および／またはパーフォレーションとして形成されている。有利には、連続開口部は、装置の接続要素に対して、例えばその外径などの外形寸法に合わせられている。連続開口部は、具体的には、残りの本体部により完全に囲まれている。例えば、連続開口部は、穴、具体的には連続穴の形で本体部に存在する。
【０００６】
圧入要素の本体部は、例えば環状ディスクの形を取っている。本体部の厚さは、例えば、１ｍｍから１０ｍｍの間であって、例えば２ｍｍから５ｍｍの間であり、特に３ｍｍから５ｍｍの間である。本体部の厚さは、例えば、１ｍｍ、１．５ｍｍ、２ｍｍ、２．５ｍｍ、３ｍｍ、３．２ｍｍ、３．３ｍｍ、３．４ｍｍ、３．５ｍｍ、４ｍｍ、４．５ｍｍまたは５ｍｍであり、特に３．１ｍｍである。本体部の外径は、例えば、４０ｍｍから１００ｍｍの間、４０ｍｍから８０ｍｍの間、または４０ｍｍから６０ｍｍの間である。外径は、例えば、４０ｍｍ、４５ｍｍ、５５ｍｍまたは６０ｍｍ、特に５０ｍｍである。本体部における開口部の直径は、例えば、８ｍｍより大きく、例えば、１０ｍｍより大きく、特に１３ｍｍなど１２ｍｍより大きい。
【０００７】
装置は、有利には、クローラベルトのクローラベルト端部を接続するように構成されている。無限軌道の無限軌道部材は、例えば無限軌道のクローラウェブとして存在する。
クローラベルトは、弾性基材、具体的にはエラストマー基材、例えばゴムなど、から製造される。駆動輪から脚部に、具体的には無限軌道に加速力および制動力を伝えるために、具体的にはクローラベルトの長手方向に沿って連続的に形成された張力手段が、例えば主軌道のエラストマー材料の中など、クローラベルトに埋め込まれている。張力手段は、例えば、合成繊維および／またはスチールファイバなどの金属繊維で製造された織物ストリップとして構成されている。クローラベルトは、有利には、複数の織物ストリップ層を備える。織物ストリップ層は、有利には、エラストマー材料によって互いに離間している。例えば、織物ストリップ層はエラストマー材料内に埋め込まれている。クローラベルトは、２種以上の異なるエラストマー材料を含んでもよい。例えば、第１のエラストマー材料は、織物ストリップ層および別のエラストマー材料が存在するクローラベルトのスリーブを形成し、例えば、その別のエラストマー材料に織物ストリップ層が埋め込まれている。異なる織物ストリップ層の織物構造は、有利には、例えば互いに横切るなど補い合う状態で延びるようクローラベルト上に配置される。
【０００８】
無限軌道は、例えば、駆動輪用の係合部と、クローラベルトの進行方向に延びる軌道においてクローラ車両の脚部を案内するために、クローラベルトの内側に設けられたトラッキング要素とを備えるクローラベルトである。有利には、装着機構などの複数の装置がクローラベルト上に構成されており、各装置は、クローラベルトの外側に、かつクローラベルトの進行方向を横切るようにクローラウェブを装着するために、設けられている。クローラベルトの装着機構は、例を挙げると、開口部、例えば貫通孔などの連続開口部の形態で存在する。無限軌道は、平行に延びる側方軌道とともに使用するように設けてもよい。
【０００９】
本発明の焦点は、圧入要素が本体部から突出する複数の保持要素を備え、その保持要素は、保持要素がクローラベルト上に配置される際にクローラベルトの複数の材料層を貫通し、具体的には貫通方向の横方向に保持要素が材料層の材料を移動させるように構成されていることであると解すべきである。このようにして、装置を介した無限軌道部材からクローラベルトへの力の伝達、またはその逆方向の力の伝達が改良され、つまり、接続要素と例えばクローラベルトの開口部などの装着機構との間に作用する、例えばせん断力などの力が比較的小さいため、例えば長穴の形成などの開口部の伸長が少なくとも遅くなる。この場合、力は、例えば、クローラベルトの無限軌道が移動させられる際に経由する地面から、あるいは、例えば、クローラウェブなどの無限軌道部材上のクローラベルトを介して、外側から作用する。
【００１０】
クローラベルト上に配置される場合、保持要素は、有利には、クローラベルトの複数の材料層を貫通する。具体的には、保持要素は、クローラベルト上に配置される場合、クローラベルトの複数の材料層に挿通される。
【００１１】
一例として、材料層は、織物ストリップなどの織物、具体的には金属織物として構成されている。一例として、保持要素は、クローラベルト上に配置される際に特定の材料層を切り裂かず、具体的には、保持要素は織物層を切り裂かない。有利には、クローラベルト上に配置される際、保持要素は、織物層、具体的には全ての織物層を切り裂いたり切断したりはしない。保持要素は、有利には、クローラベルト上に配置される際、例えば織物層の織物構造など織物層の織物の隙間部分を貫通し、具体的には貫通方向の横方向に織物をずらす、移動させる、および／または圧縮するが、有利には、織物を切断したり切り裂いたりしないように構成されている。このようにして、圧入要素は、掛止および／または釣支などの相互接続状態で、クローラベルト、具体的にはクローラベルトの織物層に接続される。保持要素は、配置された状態でクローラベルトの弾性材料を貫通し、また必要に応じて弾性材料を切り裂くように構成されていることが好ましい。
【００１２】
圧入要素の本体部は、例えば、スペーサディスクおよび／またはワッシャなどの環状ディスクとして構成されている。例えば、本体部は、円形、楕円形または長円形の外形を有する。本体部は、ストリップ状または支柱状の構造を有してもよい。例えば、本体部は、角形、例えば矩形、特に正方形の外形を有する。本体部は、有利には、１つの貫通開口部を備える。しかし、本体部が２つ、３つ、４つ、またはそれより多い貫通開口部を有してもよい。本体部が複数の貫通開口部を備える場合、貫通開口部は、本体部上において互いに離間していることが有利である。例えば、貫通開口部は本体部の中心に位置する。
【００１３】
一例として、本体部は第１主面と第２主面とを備え、これらの主面は、反対側にあり互いに離間している。貫通開口部は、有利には、第１主面から第２主面に延びている。例えば、各主面における貫通開口部は、対応する主面における開口部および／または凹部を有する。
【００１４】
圧入要素は、クローラベルト上に配置された状態で、クローラベルトと無限軌道部材との間に形成されていることが好ましい。一例として、クローラベルト上に配置された場合、圧入要素は、具体的には無限軌道部材に直接接触している。しかし、圧入要素と無限軌道部材とは、例えば、その間にクローラベルトを挟むなど、互いに離間していてもよい。
【００１５】
有利には、２つ、３つ、４つ、５つ、６つ、７つ、９つ、１０あるいはそれより多い保持要素、特に８つの保持要素が圧入要素の本体部上にある。２つを超える、３つを超える、４つを超える、８つを超える、あるいは１０を超える保持要素、特に５つを超える保持要素が本体部上にあることが好ましい。
【００１６】
また、保持要素は、本体部上に互いに離間して配置されることが有利である。全ての保持要素が、有利には、本体部の第１主面状にあって、その第１主面から突出している。全ての保持要素は、同じ方向に突出していることが好ましい。例えば、保持要素は、第１主面から第１主面の延在面に対して垂直に突出する。保持要素、具体的には全ての保持要素が、本体部上で互いに異なる方向に突出して配置され、例えば、本体部の第１主面から突出していてもよい。また、保持要素、具体的には全ての保持要素が、球面状または円柱状に突出して本体部上に存在していてもよい。
【００１７】
保持要素が、本体部から逓減するおよび／または先細になるように構成されると有利であることも分かっている。このようにして、圧入要素のクローラベルトへの装着、例えば圧入などが比較的容易になる。
【００１８】
装置の圧入要素の有利な実施形態において、保持要素は、ピン状、針状、角錐状および／または円錐状に構成されている。全ての保持要素は、類似であること、特に同様または同一の構造であることが有利である。しかし、保持要素、具体的には全ての保持要素が、互いに異なる構造であってもよい。例えば、厳密に２つまたは厳密に３つの異なる保持要素の実施形態が、具体的には本体部上に形成される。２つ以上の保持要素が、異なる長さを有して設計されていてもよい。
【００１９】
保持要素の一端部が先細で、丸みを帯びているおよび／または尖っていることが、更に提案される。その保持要素の先細の端部は、本体部から、具体的には本体部の主面から離間していることが有利である。
【００２０】
保持要素は、例えば８ｍｍから１２ｍｍなど、第１主面から８ｍｍから１４ｍｍ突出している。圧入要素の全高は、本体部と、本体部の第２主面から始まり保持要素の先細の端部に及ぶ保持要素とを含み、例えば１０ｍｍから１００ｍｍの範囲内であり、例えば１０ｍｍから４０ｍｍの間、例えば１０ｍｍから３０ｍｍの間、例えば１０ｍｍから２０ｍｍの間、例えば１２ｍｍから１６ｍｍの間である。圧入要素の全高は、例えば、１２ｍｍ、１２．５ｍｍ、１３ｍｍ、１４．５ｍｍまたは１５ｍｍであり、特に１４ｍｍである。
【００２１】
圧入要素の本体部への装着部における円錐台形の保持要素の直径は、例えば、４ｍｍから８ｍｍの間であり、特におよそ６ｍｍの範囲内である。
さらに、本体部と圧入要素の保持要素とは一体的に構成されてもよい。例えば、圧入要素、具体的には本体部および保持要素は、例えばダイカストにより金属で形成される、および／またはプラスチックで形成される。圧入要素は、射出成形および／またはダイカストによる部品として存在していてもよい。圧入要素は、鍛造されてもよい。
【００２２】
また、圧入要素をクローラベルトおよび無限軌道部材に接続するために、接続要素が設計されることが有利である。接続要素は、例えば、ピン、ボルト、リベットまたはねじとして構成される。接続要素は、ねじ付きピンとして存在していてもよい。接続要素はまた、例えばクランプの形態で、クランプ状に構成されてもよい。接続要素は、有利には、クローラベルトの端部を圧入要素に接続する、および／または圧入要素をクローラベルトおよび無限軌道の無限軌道部材に接続するように設計されている。
【００２３】
本発明の有利な変形例において、装置は相手要素を有し、装置が配置された状態において、相手要素と圧入要素の本体部とは、クローラベルトによって離間している。相手要素は、好ましくは例えば穴などの連続開口部を有し、クローラベルト上に配置された状態において、接続要素が連続開口部を介して係合する。また、接続要素と相手要素とが、例えば一体的に構成されるなど、互いに接続されていてもよい。相手要素は、例えば、環状ディスクおよび／またはワッシャとして構成される。相手要素と圧入要素の本体部とは、同一の形状である。
【００２４】
例えば、相手要素は、円形、楕円形または長円形の外形を有する。また、相手要素は、ストリップ状または支柱状の形状を有していてもよい。例えば、相手要素は、例えば矩形などの角形、特に正方形の外形を有する。相手要素は、有利には、例えば連続開口部を１つ備える。しかし、相手要素は３つ、４つ、またはそれより多くの開口部を有していてもよい。相手要素が複数の開口部を備える場合、開口部は、相手要素上において互いに離間するように構成されていることが有利である。例えば、１つの開口部の場合、具体的にはその開口部は相手要素の中心に位置する。相手要素と圧入要素とは、具体的には存在する開口部の数に関して、互いに調整されることが好ましい。
【００２５】
相手要素は、具体的にはクローラベルト上に配置された際の同じ延在方向において、外面の広がりで見ると、圧入要素の本体部の外形寸法より形状が大きいことが有利である。環状ディスク状の相手要素は、有利には、圧入要素の本体部の外径より大きい外径を有する。環状ディスク状の相手要素は、５０ｍｍから８０ｍｍ、例えばおよそ５７ｍｍの外径を有する。有利には、相手要素の厚さは、圧入要素の本体部の厚さと比べて、同一またはそれより大きい。一例として、相手要素の厚さは、例えば３ｍｍから８ｍｍなど、２ｍｍから１０ｍｍの範囲内である。相手要素の厚さは、２ｍｍ、３ｍｍ、４ｍｍ、４．５ｍｍ、５．５ｍｍ、６ｍｍ、６．５ｍｍ、７ｍｍ、８ｍｍまたは１０ｍｍであり、特に、例えば５ｍｍである。
【００２６】
本体部はまた、クローラベルト上に配置された状態で、無限軌道部材に対して本体部を位置決め可能にする、位置決め部材を有することが有利である。このようにして、装置の組立が容易になる。
【００２７】
本体部は、有利には、位置決め部材によって、具体的には真っすぐまたは直接的に無限軌道の無限軌道部材に連結される。本体部は、具体的には無限軌道部材にある位置決め部材によって、クローラベルト上に配置された状態で位置決め可能である、またはその逆であることが好ましい。
【００２８】
位置決め部材は、例えば、凹部の形態、刻み目の形態、隆起部の形態、ピンの形態および／またはボルトの形態で構成されている。例えば、本体部は、クローラベルト上に配置された状態において、位置決め部材を用いて無限軌道部材にロック可能に構成されている。位置決め部材は、例えば、ボルト、ピンおよび／または止まり穴として構成されている。位置決め部材は、有利には、本体部の第２主面上に形成されている。例えば、本体部は、切り欠きおよび／または凹部を備え、そこにおいて位置決め部材を使用し得る、具体的には挿入および／または圧入し得る。こうして、位置決め部材と本体部との間において改良された圧入が実現される。また、圧入要素は２つ、３つ、またはそれより多くの位置決め部材を有していてもよい。例えば、複数の位置決め部材は互いに離間している。このようにして、配置された状態において、無限軌道部材に対する圧入要素の回転が回避される。
【００２９】
本発明の有利な一実施形態は、上記で言及された変形例の１つによる装置を備えたクローラベルトである。
クローラベルトの厚さ方向で見た場合、配置された状態において保持要素がクローラベルトを貫通しないように、圧入要素の保持要素の長さがクローラベルトの厚さに適合していると有利であることも分っている。しかし、具体的にはクローラベルトの厚さ方向で見た場合、例えば、配置された状態において保持要素がクローラベルトを完全に貫通するように、保持要素が存在していてもよい。保持要素の長さは、例えばクローラベルトの厚さに対応する。また、保持要素の長さがクローラベルトの厚さより大きく、そのため、クローラベルト上に圧入要素が配置された状態において、保持要素の先細の端部がクローラベルトのケーシングの外側に突出していてもよい。
【００３０】
例えば、第１主面の延在面と垂直な方向における、第１主面から第１主面と離間する保持要素の端部までの保持要素の大きさがクローラベルトの厚さ以下であるように、保持要素の長さは構成される。クローラベルトは、有利には、長さ、幅、および厚さに沿って延在する。クローラベルトの長さは、長手方向および／またはクローラベルトの走行方向において捉えられる。クローラベルトの幅は、クローラベルトの走行方向に垂直に、かつクローラベルト上に配置された例えばクローラウェブなどの無限軌道部材の長手方向において捉えられる。
【００３１】
有利な実施形態において、本体部は、連続開口部の周囲の領域において、第１主面上に隆起した形状を有する。例えば、本体部は、具体的にはクローラベルト上に配置された状態でクローラベルトの開口部を密封するために、例えばビードの形態をしたシール部材を備える。例えば、第１主面における連続開口部の開口領域は、例えばビード状にシール部材によって連続的に囲まれている。例えばビードなどのシール部材は、配置された状態で、例えばクローラベルトの開口部、具体的にはクローラベルトの弾性材料など、クローラベルトと係合する。このように、クローラベルト上の圧入要素は調整可能である。シール部材、例えばビードは、有利には、クローラベルト上に配置された状態において、クローラベルトの開口部を閉鎖し、それにより、外側からクローラベルトの開口部に進入可能な水または水分を比較的少なくする。さらに、同等なシール部材を相手要素の開口部の周囲に形成して、それにより、装置が配置された状態において、クローラベルトの開口部が両側から密封されるようにしてもよい。
【００３２】
本発明の更に別の変形例は、上記の変形例のうちの１つにおいて規定されたクローラベルトおよび／または装置を備える無限軌道である。
本発明の別の実施形態は、クローラ車両であり、具体的には、前述の変形例のうちの１つによるクローラベルトを有する、および／または装置を有する無限軌道を備えるクローラ車両である。
【００３３】
クローラ車両または装軌車両のカテゴリーは、具体的には、例えば、圧雪車などの雪上車、クロスカントリースキーコース整備車両、および／またはゲレンデ整備車両を含む。
例示的な実施形態の説明
以下の概略図を用いて、更なる詳細および利点を示すとともに、複数の例示的な実施形態がより詳細に説明される。
【図面の簡単な説明】
【００３４】
【図１】本発明による装置の側面図である。
【図２】装置の他の変形例の、側面斜め上方から見た斜視図である。
【図３】図２による装置の圧入要素の、側面斜め下方から見た斜視図である。
【図４】クローラベルト上に配置された図２による装置の、クローラベルトを通る断面図である。
【図５】クローラベルト上に配置された図２による装置の斜視図である。  図１は、圧入要素２および相手要素３を備える、本発明による装置１の第１の変形例である。
【発明を実施するための形態】
【００３５】
明瞭性のために、装置、具体的には圧入要素の異なる実施形態について、同じ参照符号が以下で用いられる。以下で説明される個々の変形例は、有利には、それと異なる別の変形例と柔軟に組み合わせることができる。
【００３６】
相手要素３は、例えば、中央に設けられた貫通孔などを備えるワッシャとして構成される。圧入要素２は、本体部４と、保持要素５と、シール部材６と、位置決め部材７とを備える。
【００３７】
本体部４は、有利には、ディスク状または板状に構成され、互いに反対側にあり離間している第１主面８と第２主面９とを有する。第１主面８および第２主面９は、有利には、本体部４の主延在面を形成する。本体部４は、連続開口部１０を更に備える。第２主面９においては、位置決め部材７が、例えば第２主面９から突出している。 
保持要素５は、本体部４の第１主面８から突出している。保持要素５は、例えば円錐または円錐台の形状を有する。保持要素５は、本体部４の第１主面８上において、例えば円弧に沿って互いに離間している。円弧は、例えば、本体部４の回転軸などの対称軸と一致する円中心を有する。
【００３８】
シール部材６は、有利には、ビード状の形状である。シール部材６は、第１主面８上において、本体部の開口部１０の縁を全周にわたって囲んでいる。シール部材６は、第１主面８の主延在面から隆起している。シール部材６の内側領域１１は、例えば、中空筒状などのスリーブ状の形状を有する。中空筒状のシール部材６の壁厚は、例えば、２ｍｍなど１ｍｍから５ｍｍの間である。第１主面８の主延在面までのシール部材６の内側領域１１の移行部１２は、例えば、丸みをつけられている。
【００３９】
圧入要素２の別の変形例を備える別の装置１３が、図２および３に示されている。
図４は無限軌道１９を示す。無限軌道１９上において、装置１３は、クローラベルト１４に配置された状態で存在しており、この装置によって、クローラウェブ１５の形態をとる無限軌道部材がクローラベルト１４に装着されている。この場合、ねじ１６の形態をとる接続要素によって、圧入要素２はクローラウェブ１５に接続されている。図４に示すクローラウェブ１５の断面図において、クローラベルト１４の複数の織物層１７があり、織物層１７はクローラベルト１４の弾性材料１８に埋め込まれている。
【００４０】
保持要素５は、有利には、クローラベルト１４上に圧入要素２が配置された状態において、保持要素５が織物層１７の織物構造を貫通し、その結果、保持要素５が織物構造に作用し、この場合、貫通方向Ｅとは横方向に織物層の織物構造を有利に圧縮または移動させるように構成されている。このようにして、織物層の切断が好適に回避されるため、クローラベルト１４の弱体化が有利に抑制される。これにより、圧入要素２のクローラベルト１４への比較的強力な固定も達成される。
【００４１】
図５に示すように、無限軌道部材（図５には示されていない）をクローラベルト１４に装着するために、複数、具体的には３つの装置１３が、クローラベルト１４に有利に配置されている。
［符号の説明］
１…装置、２…圧入要素、３…相手要素、４…本体部、５…保持要素、６…シール部材、７…位置決め部材、８…主面、９…主面、１０…開口部、１１…領域、１２…移行部、１３…装置、１４…クローラベルト、１５…クローラウェブ、１６…ねじ、１７…織物層、１８…材料、１９…無限軌道
【図１】
2021524422.tif 000003
【図２】
2021524422.tif 000004
【図３】
2021524422.tif 000005
【図４】
2021524422.tif 000006
【図５】
2021524422.tif 000007
【手続補正書】
【提出日】令和1年10月16日(2019.10.16)
【手続補正１】
【補正対象書類名】特許請求の範囲
【補正対象項目名】全文
【補正方法】変更
【補正の内容】
【特許請求の範囲】
【請求項１】
無限軌道（１９）の無限軌道部材（１５）を前記無限軌道（１９）のクローラベルト（１４）に装着するための、圧入要素（２）と接続要素（１６）とを備える装置（１、１３）であって、前記圧入要素（２）は、連続開口部（１０）を有する本体部（４）を備え、前記圧入要素（２）が前記クローラベルト（１４）上に配置される際、前記無限軌道部材（１５）を前記クローラベルト（１４）に接続するための前記接続要素（１６）が前記連続開口部（１０）を介して係合する装置であり、
前記圧入要素（２）は、前記本体部（４）から突出する複数の保持要素（５）を備え、前記保持要素（５）は、前記クローラベルト（１４）上に配置される際、前記クローラベルト（１４）の複数の材料層（１７、１８）を貫通し、前記保持要素（５）が前記材料層（１７、１８）の材料を具体的には貫通方向の横方向に移動させるように構成され、前記保持要素（５）が前記クローラベルト（１４）上に配置される際、前記圧入要素（２）が前記無限軌道部材（１５）に直接接触するように、前記保持要素（５）は前記クローラベルト（１４）を完全に貫通することを特徴とする装置。
【請求項２】
無限軌道（１９）の無限軌道部材（１５）を前記無限軌道（１９）のクローラベルト（１４）に装着するための、先行する請求項のいずれか１項に記載の装置（１、１３）であって、
前記保持要素（５）は、前記開口部（１０）の周囲に円形状に配置され、互いに離間していることを特徴とする装置。
【請求項３】
無限軌道（１９）の無限軌道部材（１５）を前記無限軌道（１９）のクローラベルト（１４）に装着するための、先行する請求項のいずれか１項に記載の装置（１、１３）であって、
前記保持要素（５）は、前記本体部（４）から逓減するおよび／または先細になるように構成されていることを特徴とする装置。
【請求項４】
無限軌道（１９）の無限軌道部材（１５）を前記無限軌道（１９）のクローラベルト（１４）に装着するための、先行する請求項のいずれか１項に記載の装置（１、１３）であって、
前記保持要素（５）は、前記本体部（４）上に互いに離間して配置されていることを特徴とする装置。
【請求項５】
無限軌道（１９）の無限軌道部材（１５）を前記無限軌道（１９）のクローラベルト（１４）に装着するための、先行する請求項のいずれか１項に記載の装置（１、１３）であって、
保持要素（５）がピン状、針状、および／または円錐状に構成されていることを特徴とする装置。
【請求項６】
無限軌道（１９）の無限軌道部材（１５）を前記無限軌道（１９）のクローラベルト（１４）に装着するための、先行する請求項のいずれか１項に記載の装置（１、１３）であって、
保持要素（５）の一端が先細であり、丸みを帯びている、および／または尖っていることを特徴とする装置。
【請求項７】
無限軌道（１９）の無限軌道部材（１５）を前記無限軌道（１９）のクローラベルト（１４）に装着するための、先行する請求項のいずれか１項に記載の装置（１、１３）であって、
前記接続要素（１６）は、前記圧入要素（２）を前記無限軌道（１９）の前記クローラベルト（１４）および前記無限軌道部材（１５）に接続するように構成されていることを特徴とする装置。
【請求項８】
無限軌道（１９）の無限軌道部材（１５）を前記無限軌道（１９）のクローラベルト（１４）に装着するための、先行する請求項のいずれか１項に記載の装置（１、１３）であって、
前記装置（１、１３）は相手要素（３）を有し、前記装置（１、１３）が配置された状態において、前記相手要素（３）と前記圧入要素（２）の前記本体部（４）とは前記クローラベルト（１４）によって離間されていることを特徴とする装置。
【請求項９】
無限軌道（１９）の無限軌道部材（１５）を前記無限軌道（１９）のクローラベルト（１４）に装着するための、先行する請求項のいずれか１項に記載の装置（１、１３）であって、
前記本体部（４）は、前記クローラベルト（１４）上に配置された状態において、前記無限軌道部材（１５）に対して前記本体部（４）を位置決め可能にするための、位置決め部材（７）を備えることを特徴とする装置。
【請求項１０】
先行する請求項のいずれか１項に記載の装置（１、１３）を備えるクローラベルト（１４）。
【請求項１１】
請求項１０に記載のクローラベルト（１４）および／または先行する請求項１〜９のいずれか１項に記載の装置（１、１３）を備える無限軌道（１９）。
【請求項１２】
請求項１１に記載の無限軌道（１９）、請求項１０に記載のクローラベルト（１４）、および／または請求項１から９のいずれか１項に記載の装置（１、１３）を備えるクローラ車両、具体的には装軌車両。
【手続補正書】
【提出日】令和3年6月28日(2021.6.28)
【手続補正１】
【補正対象書類名】特許請求の範囲
【補正対象項目名】全文
【補正方法】変更
【補正の内容】
【特許請求の範囲】
【請求項１】
無限軌道（１９）の無限軌道部材（１５）を前記無限軌道（１９）のクローラベルト（１４）に装着するための、圧入要素（２）と接続要素（１６）とを備える装置（１、１３）であって、前記圧入要素（２）は、連続開口部（１０）を有する本体部（４）を備え、前記圧入要素（２）が前記クローラベルト（１４）上に配置される際、前記無限軌道部材（１５）を前記クローラベルト（１４）に接続するための前記接続要素（１６）が前記連続開口部（１０）を介して係合する装置であり、
前記圧入要素（２）は、前記本体部（４）から突出する複数の保持要素（５）を備え、前記保持要素（５）は、前記クローラベルト（１４）上に配置される際、前記クローラベルト（１４）の複数の材料層（１７、１８）を貫通し、前記保持要素（５）が前記材料層（１７、１８）の材料を移動させるように構成され、前記保持要素（５）が前記クローラベルト（１４）上に配置される際、前記圧入要素（２）が前記無限軌道部材（１５）に直接接触するように、前記保持要素（５）は前記クローラベルト（１４）を完全に貫通することを特徴とする装置。
【請求項２】
無限軌道（１９）の無限軌道部材（１５）を前記無限軌道（１９）のクローラベルト（１４）に装着するための、請求項１に記載の装置（１、１３）であって、
前記保持要素（５）は、前記クローラベルト（１４）上に配置される際、前記クローラベルト（１４）の複数の材料層（１７、１８）を貫通し、前記保持要素（５）が前記材料層（１７、１８）の材料を貫通方向の横方向に移動させるように構成されることを特徴とする装置。
【請求項３】
無限軌道（１９）の無限軌道部材（１５）を前記無限軌道（１９）のクローラベルト（１４）に装着するための、請求項１又は請求項２に記載の装置（１、１３）であって、
前記保持要素（５）は、前記連続開口部（１０）の周囲に円形状に配置され、互いに離間していることを特徴とする装置。
【請求項４】
無限軌道（１９）の無限軌道部材（１５）を前記無限軌道（１９）のクローラベルト（１４）に装着するための、請求項１から請求項３のうちのいずれか１項に記載の装置（１、１３）であって、
前記保持要素（５）は、前記本体部（４）から逓減するおよび／または先細になるように構成されていることを特徴とする装置。
【請求項５】
無限軌道（１９）の無限軌道部材（１５）を前記無限軌道（１９）のクローラベルト（１４）に装着するための、請求項１から請求項４のうちのいずれか１項に記載の装置（１、１３）であって、
前記保持要素（５）は、前記本体部（４）上に互いに離間して配置されていることを特徴とする装置。
【請求項６】
無限軌道（１９）の無限軌道部材（１５）を前記無限軌道（１９）のクローラベルト（１４）に装着するための、請求項１から請求項５のうちのいずれか１項に記載の装置（１、１３）であって、
保持要素（５）がピン状、針状、および／または円錐状に構成されていることを特徴とする装置。
【請求項７】
無限軌道（１９）の無限軌道部材（１５）を前記無限軌道（１９）のクローラベルト（１４）に装着するための、請求項１から請求項６のうちのいずれか１項に記載の装置（１、１３）であって、
保持要素（５）の一端が先細であり、丸みを帯びている、および／または尖っていることを特徴とする装置。
【請求項８】
無限軌道（１９）の無限軌道部材（１５）を前記無限軌道（１９）のクローラベルト（１４）に装着するための、請求項１から請求項７のうちのいずれか１項に記載の装置（１、１３）であって、
前記接続要素（１６）は、前記圧入要素（２）を前記無限軌道（１９）の前記クローラベルト（１４）および前記無限軌道部材（１５）に接続するように構成されていることを特徴とする装置。
【請求項９】
無限軌道（１９）の無限軌道部材（１５）を前記無限軌道（１９）のクローラベルト（１４）に装着するための、請求項１から請求項８のうちのいずれか１項に記載の装置（１、１３）であって、
前記装置（１、１３）は相手要素（３）を有し、前記装置（１、１３）が配置された状態において、前記相手要素（３）と前記圧入要素（２）の前記本体部（４）とは前記クローラベルト（１４）によって離間されていることを特徴とする装置。
【請求項１０】
無限軌道（１９）の無限軌道部材（１５）を前記無限軌道（１９）のクローラベルト（１４）に装着するための、請求項１から請求項９のうちのいずれか１項に記載の装置（１、１３）であって、
前記本体部（４）は、前記クローラベルト（１４）上に配置された状態において、前記無限軌道部材（１５）に対して前記本体部（４）を位置決め可能にするための、位置決め部材（７）を備えることを特徴とする装置。
【請求項１１】
請求項１から請求項１０のうちのいずれか１項に記載の装置（１、１３）を備えるクローラベルト（１４）。
【請求項１２】
請求項１１に記載のクローラベルト（１４）および／または先行する請求項１〜１０のいずれか１項に記載の装置（１、１３）を備える無限軌道（１９）。
【請求項１３】
請求項１２に記載の無限軌道（１９）、請求項１１に記載のクローラベルト（１４）、および／または請求項１から１０のいずれか１項に記載の装置（１、１３）を備えるクローラ車両。
【請求項１４】
請求項１３に記載のクローラ車両であって、
前記クローラ車両とは、装軌車両であることを特徴とするクローラ車両。
【国際調査報告】
2021524422.tif 000008
2021524422.tif 000009
2021524422.tif 000010
2021524422.tif 000011